(57)【要約】【課題】落下等の衝撃で光ピックアップのガイド軸が調整ネジの先端から落ちる心配がなく、ねじりコイルバネの組付け作業性が良好であり、部品点数や組立工数の減少によってコストダウンを図ることもできる光ディスク装置を提供する。【解決手段】ねじりコイルバネ１４を嵌装したガイド軸８の外周側端部をガイド軸取付部１３の凹部１３ａに片側から遊嵌し、該バネの一端側直線部１４ａの屈曲先端部１４ｂをトラバースシャーシ２の孔２ａに挿入して孔縁部に係止させ、該バネの他端側屈曲線部１４ｃの係合先端部１４ｄをガイド軸取付部に形成された被係合部１３ｂに反対側から係合させると共に、この被係合部１３ｂに他端側屈曲線部１４ｃを下方から係合させ、トラバースシャーシのネジ孔２ｂに下方からねじ込んだ調整ネジ１５の先端で、該バネにより下方へ付勢されたガイド軸８の外周側端部を適正な高さに支持した構成の光ディスク装置とする。【選択図】図２
2008282443.tif 000002
【特許請求の範囲】
【請求項１】
回転する光ディスクの半径方向に光ピックアップをガイドして移動させるガイド軸をトラバースシャーシの上に配置し、その両端部をトラバースシャーシのガイド軸取付部に取付けた光ディスク装置であって、
上記ガイド軸の光ディスク外周側の端部を、光ディスク外周側に位置するガイド軸取付部の片側が開放された凹部に片側から遊嵌し、ガイド軸の光ディスク外周側の端部に嵌装したねじりコイルバネの一端側の直線部の屈曲先端部を、ガイド軸の片側に位置してトラバースシャーシに形成された孔に挿入して抜けないように孔縁部に係止させ、ねじりコイルバネの他端側の屈曲線部の先端部をねじりコイルバネの中心線方向に屈曲して形成した係合先端部を、ガイド軸の反対側に位置してガイド軸取付部に形成された被係合部に反対側から係合させると共に、この被係合部に他端側の屈曲線部を下方から係合させ、ガイド軸の光ディスク外周側の端部の直下に位置してトラバースシャーシに形成されたネジ孔に調整ネジを下方からねじ込んで、ねじりコイルバネにより下方へ付勢されたガイド軸の光ディスク外周側の端部を調整ネジの先端で適正な高さに支持したことを特徴とする光ディスク装置。
【請求項２】
上記ガイド軸取付部に形成された被係合部が、ガイド軸取付部からガイド軸と平行に突出する底片と、この底片の先端から立ち上がる立上り片と、この立上り片の上端からガイド軸取付部に向かって延びる上片と、この上片の先端から垂下する垂下片とで構成され、垂下片とガイド軸取付部との間、垂下片と底片との間、垂下片と立上り片との間に、上記ねじりコイルバネの他端側の屈曲線部を挿入する連続した挿入通路が形成されたものであることを特徴とする請求項１に記載の光ディスク装置。
【請求項３】
上記ガイド軸の光ディスク内周側の端部を、光ディスク内周側に位置するガイド軸取付部に形成された軸受孔に挿通して所定の高さに支持したことを特徴とする請求項１又は請求項２に記載の光ディスク装置。
【請求項４】
上記ガイド軸の両端をそれぞれ当止する当止片を上記トラバースシャーシに立設したことを特徴とする請求項１ないし請求項３のいずれかに記載の光ディスク装置。
【発明の詳細な説明】
【技術分野】
【０００１】
本発明はＣＤ、ＤＶＤなどの光ディスク装置に関し、特に、光ピックアップのガイド軸が衝撃等で調整ネジの先端から落ちないようにガイド軸の取付構造を改良すると共に、部品点数及び組立工数を減少させるように図った光ディスク装置に関する。
【背景技術】
【０００２】
光ディスク装置のトラバースシャーシには、回転する光ディスクの半径方向に光ピックアップをガイドして移動させるガイド軸が設けられている。このガイド軸１００の光ディスク外周側の端部は、図６に示すように、トラバースシャーシ１０１に設けられたガイド軸取付部１０２の切欠部１０２ａに、ねじりコイルバネ１０３と調整ネジ１０４を用いて取付けられている。
【０００３】
即ち、ガイド軸１００の光ディスク外周側の端部にねじりコイルバネ１０３を嵌装し、ねじりコイルバネ１０３の一端側の直線部１０３ａを、トラバースシャーシ１０１に形成された孔１０１ａに挿入して、抜け出さないように該直線部１０３ａの屈曲先端部を孔縁部に係止させ、ねじりコイルバネ１０３の他端側の屈曲線部１０３ｂを、ガイド軸取付部１０２に形成された鉤形アーム部１０２ｂに下方から係合させて、ガイド軸１００をねじりコイルバネ１０３で下方へ付勢すると共に、ガイド軸１００の下方に位置してトラバースシャーシ１０１に形成されたネジ孔１０１ｂに調整ネジ１０４を下方からねじ込み、ガイド軸１００を調整ネジ１０４の先端で支持することによって、ガイド軸１００の端部がガイド軸取付部１０２の切欠部１０２ａに高さ調節可能に取付けられている。
【０００４】
そして、このガイド軸１００の光ディスク内周側の端部も、上記とほぼ同様の取付構造で、トラバースシャーシの光ディスク内周側に設けたガイド軸取付部に高さ調節可能に取付けられている。
【０００５】
一方、ディスク装置のガイド軸固定構造として、ガイド軸に円周状の溝を切り、この溝にねじりコイルバネを嵌めることによって、ガイド軸の軸方向の移動を規制すると共に、ねじりコイルバネの両端を固定部材に引っかけ固定して、このねじりコイルバネでガイド軸を固定部材の受け面に押圧固定した構造も知られている（特許文献１）。
【０００６】
また、光ヘッドを案内するガイド軸にねじりコイルバネを取付けて、ガイド軸を光ディスクの記録面から遠ざかる方向へ付勢すると共に、ナットに螺合してシャーシに取付けられた調整用ネジの頭部にガイド軸の端部を当接させてガイド軸の位置を規定した光ピックアップ装置も知られている（特許文献２）。
【特許文献１】特開平６−２３６６３５号公報
【特許文献１】特開２００６−３０２３７２号公報
【発明の開示】
【発明が解決しようとする課題】
【０００７】
しかしながら、図６に示すようなガイド軸の端部の取付構造では、ガイド軸取付部１０２の鉤形アーム部１０２ｂに下方から係合するねじりコイルバネ１０３の他端側の屈曲線部１０３ｂが長く、この屈曲線部１０３ｂの直角に屈曲した先端部１０３ｃと鉤形アーム部１０２ｂとの間隔が大きいため、例えば落下等の衝撃によってガイド軸１００に矢印方向の外力が作用すると、ガイド軸１００が調整ネジ１０４の先端から落ちるという問題があった。
【０００８】
しかも、ねじりコイルバネ１０３の他端側の屈曲線部１０３ｂを係合させる相手が鉤形アーム部１０２ｂであると、ねじりコイルバネ１０３を組付ける際に、屈曲線部１０３ｂを鉤形アーム部１０２ｂの先端側まで横方向に弾性変形させながら下方に弾性変形させ、鉤形アーム部１０２ｂの下側を潜って下方から鉤形アーム部１０２ｂに係合させなければならないため、組付け作業性が良くないという問題もあった。
【０００９】
また、ガイド軸１００の端部の高さを調整してガイド軸１００の傾きを変えることにより光ピックアップの傾角調整を行うためには、ガイド軸１００の光ディスク内周側の端部までねじりコイルバネと調整ネジで高さ調節可能に取付けることが必ずしも必要でなく、ガイド軸１００の光ディスク内周側の端部の高さを固定して光ディスク外周側の端部の高さを調節するだけでも、光ピックアップの傾角調整を行うことが可能であるから、ガイド軸１００の光ディスク内周側の端部の取付構造はできる限り簡素化して部品点数や組立工数の低減を図ることが望ましい。
【００１０】
これらの問題や要望は、前述した特許文献１，２に記載されているガイド軸の取付構造では、満足に解決することができない。
【００１１】
本発明は上記事情の下になされたもので、その解決しようとする課題は、落下等の衝撃を受けても光ピックアップのガイド軸が調整ネジの先端から落ちる心配がなく、ねじりコイルバネの組付け作業性が良好であり、部品点数や組立工数の減少によってコストダウンを図ることもできる光ディスク装置を提供することにある。
【課題を解決するための手段】
【００１２】
上記の課題を解決するため、本発明に係る光ディスク装置は、回転する光ディスクの半径方向に光ピックアップをガイドして移動させるガイド軸をトラバースシャーシの上に配置し、その両端部をトラバースシャーシのガイド軸取付部に取付けた光ディスク装置であって、上記ガイド軸の光ディスク外周側の端部を、光ディスク外周側に位置するガイド軸取付部の片側が開放された凹部に片側から遊嵌し、ガイド軸の光ディスク外周側の端部に嵌装したねじりコイルバネの一端側の直線部の屈曲先端部を、ガイド軸の片側に位置してトラバースシャーシに形成された孔に挿入して抜けないように孔縁部に係止させ、ねじりコイルバネの他端側の屈曲線部の先端部をねじりコイルバネの中心線方向に屈曲して形成した係合先端部を、ガイド軸の反対側に位置してガイド軸取付部に形成された被係合部に反対側から係合させると共に、この被係合部に他端側の屈曲線部を下方から係合させ、ガイド軸の光ディスク外周側の端部の直下に位置してトラバースシャーシに形成されたネジ孔に調整ネジを下方からねじ込んで、ねじりコイルバネにより下方へ付勢されたガイド軸の光ディスク外周側の端部を調整ネジの先端で適正な高さに支持したことを特徴とするものである。
【００１３】
本発明の光ディスク装置においては、上記ガイド軸取付部に形成された被係合部が、ガイド軸取付部からガイド軸と平行に突出する底片と、この底片の先端から立ち上がる立上り片と、この立上り片の上端からガイド軸取付部に向かって延びる上片と、この上片の先端から垂下する垂下片とで構成され、垂下片とガイド軸取付部との間、垂下片と底片との間、垂下片と立上り片との間に、上記ねじりコイルバネの他端側の屈曲線部を挿入する連続した挿入通路が形成されたものであることが好ましい。
【００１４】
また、本発明の光ディスク装置においては、上記ガイド軸の光ディスク内周側の端部を、光ディスク内周側に位置するガイド軸取付部に形成された軸受孔に挿通して所定の高さに支持することが好ましく、更に、上記ガイド軸の両端をそれぞれ当止する当止片をトラバースシャーシに立設することが好ましい。
【発明の効果】
【００１５】
本発明の光ディスク装置のように、ガイド軸の光ディスク外周側の端部（以下、ガイド軸の外周側端部と記す）にねじりコイルバネを嵌装し、ねじりコイルバネの他端側の屈曲線部の先端部をねじりコイルバネの中心線方向に屈曲して形成した係合先端部を、ガイド軸の反対側に位置してガイド軸取付部に形成された被係合部に反対側から係合させると、落下等の衝撃によってガイド軸の外周側端部に片側へ向かう力が作用しても、ガイド軸取付部の被係合部に反対側から係合するねじりコイルバネの屈曲線部の係合先端部によって、ねじりコイルバネとガイド軸の片側への移動が阻止されるため、ガイド軸の外周側端部が調整ネジの先端から落ちる心配はなくなる。
【００１６】
そして、光ディスク外周側に位置するガイド軸取付部が、上記のように底片と立上り片と上片と垂下片とで構成され、連続した挿入通路が形成されたものであると、ねじりコイルバネの他端側の屈曲線部を上方から挿入通路に押し込んで上片に下方から係合させると同時に、屈曲線部の係合先端部を立上り片に反対側から係合させて、ねじりコイルバネを容易に組付けることができるので、組付け作業性が向上する。
【００１７】
また、光ディスク内周側のガイド軸取付部に形成された軸受孔に、ガイド軸の光ディスク内周側の端部（以下、ガイド軸の内周側端部と記す）を挿通して所定の高さに取付けたものは、ガイド軸の外周側端部を上記の調整ネジで高さ調節してガイド軸の傾きを変えることで光ピックアップの傾角を調整でき、従来、ガイド軸の内周側端部を取付けるために組付けられていたねじりコイルバネや調整ネジを省略して部品点数や組立工数を低減できるので、コストダウンを図ることが可能となる。
【００１８】
更に、ガイド軸の両端をそれぞれ当止する当止片をトラバースシャーシに立設したものは、ガイド軸取付部からガイド軸がその中心線方向に抜け落ちるのを当止片によって防止することができる。
【発明を実施するための最良の形態】
【００１９】
以下、図面を参照して本発明の具体的な実施形態を詳述する。
【００２０】
図１はディスクトレイを省略した本発明の一実施形態に係る光ディスク装置の平面図、図２は同光ディスク装置におけるガイド軸の外周側端部の取付構造を示す斜視図、図３は同光ディスク装置におけるガイド軸の内周側端部の取付構造を示す斜視図、図４は光ディスク外周側のガイド軸取付部の側面図、図５はねじりコイルバネの斜視図である。
【００２１】
この光ディスク装置の全体の構成を概説すると、図１に示すように、ローダーシャーシ１の内側には、トラバースシャーシ２がその後端両側部において取付ネジ３とゴムダンパー４を用いて上下回動可能に取付けられており、このトラバースシャーシ２には、光ピックアップ５とターンテーブル６が搭載されている。
【００２２】
この光ピックアップ５は、そのラック５ａと噛み合うピニオン７の回転により、トラバースシャーシ２の上に配設された２本のガイド軸８，８に沿って、光ディスクの半径方向、即ち、ターンテーブル６に対して接近、離反する方向に移動するようになっており、ターンテーブル６に接近しながらレーザービームを対物レンズから光ディスクに照射して、記録・再生を行うようになっている。
【００２３】
尚、ガイド軸８，８の端部の取付構造については、後で詳しく説明する。
【００２４】
上記のターンテーブル６は、トラバースシャーシ２に搭載されたスピンドルモータ（不図示）の出力軸に固定され、トラバースシャーシ２が上方に回動したときに、このターンテーブル６とその真上のクランパー９との間に光ディスクの中央開口縁を挟んで光ディスクを回転させるようになっている。このクランパー９は、ローダーシャーシ１の左右側壁間に架設されたブリッジ部１ａの中央のクランパー保持部１ｂに回転自在に保持されている。
【００２５】
トラバースシャーシ２の前端部に取付けられたレバーシフト１０には、前方へ突き出す二つの凸部１０ａ，１０ｂが形成されており、これらの凸部１０ａ，１０ｂが挿入されるカム溝１１ａ，１１ｂを形成したカムスライダー１１が、ローダーシャーシ１の前枠部１ｃにスライド可能に取付けられている。このカムスライダー１１は、その右端のラックギヤ１１ｃと噛み合うピニオンギヤ１２の回転によって左右にスライドするようになっており、このようにカムスライダー１１がスライドすると、そのカム溝１１ａ，１１ｂに沿ってレバーシフト１０の凸部１０ａ，１０ｂが摺動しながら上下動するため、トラバースシャーシ２が後端両側部の取付部分を支点として上下に揺動するようになっている。
【００２６】
また、図示はしていないが、光ディスクを載置して挿入、排出させるディスクトレイが、トラバースシャーシ２とブリッジ部１ａとの間に配置されてローダーシャーシ１の内側に挿入・排出可能に取付けられており、このディスクトレイの裏面のラックに上記のピニオン１２が噛み合って回転すると、ディスクトレイが挿入・排出されるようになっている。
【００２７】
尚、上記のピニオン１２と、光ピックアップ５のラック５ａに噛み合う前記ピニオン７は、駆動力伝達歯車機構（不図示）を介して、駆動モータ（不図示）から駆動力が伝達されるようになっている。
【００２８】
図１，図２に示すように、ガイド軸８の外周側端部に対応するトラバースシャーシ２の後端部には、ガイド軸取付部１３（光ディスク外周側に位置するガイド軸取付部）が立設されており、このガイド軸取付部１３には、片側（図１，図２では左側）が開放された凹部１３ａと、被係合部１３ｂが形成されている。そして、凹部１３ａには、ガイド軸８の外周側端部が遊嵌されており、また、被係合部１３ｂには、ガイド軸８の外周側端部に嵌装されたねじりコイルバネ１４の屈曲線部１４ｃとその係合先端部１４ｄが係合されている。
【００２９】
上記の凹部１３ａは、その片側（左側）の開放部分から遊嵌されたガイド軸８の外周側端部を該凹部１３ａの内側面で当止することによって、ガイド軸８の左右方向の位置を規制するものであり、該凹部１３ａの上下寸法は、ガイド軸８の外周側端部の高さ調節ができるように、ガイド軸８の直径よりも大きく設定されている。
【００３０】
また、上記の被係合部１３ｂは、図２，図４に示すように、ガイド軸取付部１３からガイド軸と平行に光ディスク内周側に向かって突出する底片１３ｃと、この底片１３ｃの先端から立ち上がる立上り片１３ｄと、この立上り片１３ｄの上端からガイド軸取付部１３に向かって延びる上片１３ｅと、この上片１３ｅの先端から垂下する垂下片１３ｆとで構成されており、垂下片１３ｆとガイド軸取付部１３との間、垂下片１３ｆと底片１３ｃとの間、垂下片１３ｆと立上り片１３ｄとの間には、ねじりコイルバネ１４の屈曲線部１４ｃを挿入する連続した挿入通路１３ｇが形成されている。
【００３１】
ガイド軸８の外周側端部に嵌装されるねじりコイルバネ１４は、図５に示すように、一端側の直線部１４ａの先端に短い屈曲先端部１４ｂを形成すると共に、他端側の「く」字状の屈曲線部１４ｃの長さを従来のものより短縮し、その先端部をねじりコイルバネ１４のコイル部１４ｅの中心線方向に屈曲して係合先端部１４ｄを形成したものである。このねじりコイルバネ１４は、図１，図２に示すように、一端側の直線部１４ａの屈曲先端部１４ｂを、ガイド軸８の片側（左側）に位置してトラバースシャーシ２に形成された孔２ａに挿入して、抜けないようにトラバースシャーシ下面の該孔２ａの孔縁部に屈曲先端部１４ｂを係止させ、図２，図４に示すように、他端側の屈曲線部１４ｃを、ガイド軸取付部１３に形成された前記被係合部１３ｂの上片１３ｅに下方から係合させると共に、屈曲線部１４ｃの係合先端部１４ｄを前記被係合部１３ｂの立上り片１３ｄに反対側（右側）から係合させることによって組付けられており、このねじりコイルバネ１４によってガイド軸８の外周側端部は右斜め下方に付勢されている。
【００３２】
ねじりコイルバネ１４の組付け作業は、直線部１４ａの屈曲先端部１４ｂが短いので孔２ａに挿入し易く、しかも、屈曲線部１４ｃを上方から被係合部１３ｂの挿入通路１３ｇに押し込むことによって、屈曲線部１４ｃと係合先端部１４ｄを容易に被係合部１３ｂの上片１３ｅと立上り片１３ｄに係合できるので、従来よりも遥かに組付け易くなり、組付け作業性が大幅に向上するようになる。
【００３３】
更に、トラバースシャーシ２には、図２に示すように、ガイド軸８の外周側端部の直下に位置してネジ孔２ｂが形成されており、このネジ孔２ｂに下方からねじ込まれた調整ネジ１５の先端によって、ガイド軸８の外周側端部が適正な高さに支持されている。
【００３４】
一方、図１，図３に示すように、ガイド軸８の内周側端部に対応するトラバースシャーシ２の先端部には、ガイド軸取付部１６（光ディスク内周側に位置するガイド軸取付部）のみが立設されており、このガイド軸取付部１６に形成された軸受孔１６ａにガイド軸８の内周側端部が挿通されて、所定の高さに支持されている。従って、従来のガイド軸の内周側端部の取付構造に比べると、ねじりコイルバネや調整ネジを省略できる分だけ取付構造が簡素化され、部品点数や取付工数が減少するので、コストダウンを達成することが可能となる。このようにガイド軸８の内周側端部が高さ調節できない取付構造であっても、ガイド軸８の外周側端部の高さを前記の調整ネジ１５で調整してガイド軸８の傾きを変えることにより、光ピックアップ５の傾角調整を行うことができるので、支障が出る心配はない。
【００３５】
また、ガイド軸取付部１３，１６からガイド軸８がその中心線方向に抜け落ちるのを防止するため、図１〜図３に示すように、ガイド軸８の両端をそれぞれ当止する当止片２ｃがトラバースシャーシ２の前後両端部にそれぞれ立設されている。
【００３６】
以上のような構成の光ディスク装置は、トラバースシャーシ２が下降（下方に回動）したトレイオープンの状態において、光ディスクをディスクトレイに載せてターンテーブル６とクランパー９の間に送り込むと、カムスライダー１１が、そのラック１１ｃと噛み合うピニオン１２の回転によって、図１に示すように右方にスライドし、トラバースシャーシ２が上昇（上方に回動）して、光ディスクがターンテーブル６とクランパー９に挟持されて回転する。すると、光ピックアップ５が、そのラック５ａと噛み合うピニオン７の回転により、ガイド軸８，８に沿って光ディスクの内周側（ターンテーブルに接近する方向）へ移動し、対物レンズからレーザービームが光ディスクに照射されて、記録・再生が行われる。そして、記録・再生が終わると、上記と逆動作して光ディスクがディスクトレイに載って排出される。
【００３７】
また、この光ディスク装置は、例えば運搬中に誤って落とすことにより、ガイド軸８に対して図２に矢印で示すような片側（左側）へ向かう衝撃力が作用したとしても、前述したように、ねじりコイルバネ１４の屈曲線部１４ｃの係合先端部１４ｄがガイド軸取付部１３の被係合部１３ｂの立上り片１３ｄに反対側（右側）から係合しているため、ガイド軸８の外周側端部がねじりコイルバネ１４と共に片側（左側）へ移動して調整ネジ１５の先端から落ちて故障する心配はなくなる。従って、従来の光ディスク装置に比べると、信頼性や耐久性が向上する。
【００３８】
以上、合成樹脂製のトラバースシャーシ２を用いた光ディスク装置を例に挙げて本発明を説明したが、金属板製のトラバースシャーシを用いた光ディスク装置においても、トラバースシャーシに切起こし加工や曲げ加工を施して、ガイド軸取付部１３、被係合部１３ｂ、当止片２ｃなどを形成することにより、本発明を実施することができる。
【図面の簡単な説明】
【００３９】
【図１】ディスクトレイを省略した本発明の一実施形態に係る光ディスク装置の平面図である。
【図２】同光ディスク装置におけるガイド軸の外周側端部の取付構造を示す斜視図である。
【図３】同光ディスク装置におけるガイド軸の内周側端部の取付構造を示す斜視図である。
【図４】光ディスク外周側のガイド軸取付部の側面図である。
【図５】ねじりコイルバネの斜視図である。
【図６】従来の光ディスク装置におけるガイド軸の外周側端部の取付構造を示す斜視図である。
【符号の説明】
【００４０】
１    ローダーシャーシ
２    トラバースシャーシ
２ａ  孔
２ｂ  ネジ孔
２ｃ  当止片
５    光ピックアップ
６    ターンテーブル
８    ガイド軸
９    クランパー
１１  カムスライダー
１３  光ディスク外周側に位置するガイド軸取付部
１３ａ  凹部
１３ｂ  被係合部
１３ｃ  底片
１３ｄ  立上り片
１３ｅ  上片
１３ｆ  垂下片
１３ｇ  挿入通路
１４  ねじりコイルバネ
１４ａ  一端側の直線部
１４ｂ  屈曲先端部
１４ｃ  他端側の屈曲線部
１４ｄ  係合先端部
１５  調整ネジ
１６  光ディスク内周側に位置するガイド軸取付部
１６ａ  軸受孔
【図１】
2008282443.tif 000003
【図２】
2008282443.tif 000004
【図３】
2008282443.tif 000005
【図４】
2008282443.tif 000006
【図５】
2008282443.tif 000007
【図６】
2008282443.tif 000008